(57)【要約】【課題】本発明は、玉虫、かなぶん、はんみょう等の光沢のある昆虫を装飾体として採用することにより、貴金属等を用いた他のジュエリーとの差別化を図ることができ、かつ安っぽく見えない装飾体を得るにある。【解決手段】玉虫、かなぶん、はんみょう等の光沢のある昆虫、あるいは当該昆虫の部分からなるベース体と、このベース体を取り付けた、当該ベース体を装飾するフレームとで装飾体を構成している。【選択図】  図１
2004313702.tif 000002
【特許請求の範囲】
【請求項１】
玉虫、かなぶん、はんみょう等の光沢のある昆虫、あるいは当該昆虫の部分からなるベース体と、このベース体を取り付けた、当該ベース体を装飾するフレームとからなることを特徴とする装飾体。
【請求項２】
玉虫、かなぶん、はんみょう等の光沢のある昆虫の少なくとも頭部を除く部分からなるベース体と、このベース体を取り付けた、当該ベース体を装飾する前記昆虫の頭部の形状を含むようにデザインされたフレームとからなることを特徴とする装飾体。
【請求項３】
フレームは、金、銀等の貴金属で構成したことを特徴とする請求項１、２に記載の装飾体。
【発明の詳細な説明】
【０００１】
【発明の属する技術分野】
本発明は、ペンダント、イヤリング、指輪等のジュエリーに採用される装飾体に関する。
【０００２】
【従来の技術】
従来、ペンダント、イヤリング、指輪等のジュエリーは、貴金属や宝石等の素材が用いられている。
【０００３】
【発明が解決しようとする課題】
従来のジュエリーは素材が画一化されているため、他のジュエリーとの差別化が図りにくいという欠点があった。また、このような欠点を回避するため、布やプラスチック等の素材を用いるジュエリーもあるが、いずれも安っぽく見えるという欠点があった。
【０００４】
本発明は以上のような従来の欠点に鑑み、玉虫、かなぶん、はんみょう等の光沢のある昆虫を装飾体として採用することにより、当該昆虫の固有の輝きによって、貴金属等を用いた他のジュエリーとの差別化を図ることができ、かつ安っぽく見えない装飾体を提供することを目的としている。
【０００５】
本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【０００６】
【課題を解決するための手段】
上記目的を達成するために、本発明は、玉虫、かなぶん、はんみょう等の光沢のある昆虫、あるいは当該昆虫の部分からなるベース体と、このベース体を取り付けた、当該ベース体を装飾するフレームとで装飾体を構成している。
【０００７】
【発明の実施の形態】
以下、図面に示す実施の形態により、本発明を詳細に説明する。
【０００９】
図１ないし図９に示す本発明の第１の実施の形態において、１は、ペンダント、イヤリング、指輪等のジュエリーに用いられる本発明の装飾体で、この装飾体１は、玉虫、かなぶん、はんみょう等の光沢のある昆虫、あるいは当該昆虫の部分からなる、本実施の形態では当該昆虫の頭部を除く部分からなるベース体２と、このベース体２を取り付けた、当該ベース体２を装飾するフレーム３とで構成されている。
【００１０】
前記ベース体２は、図７に示すように、玉虫の頭部と足を除いた部分で構成されている。このベース体２は、玉虫の頭部を取る際に内臓も取り出すとともに、体内を針や針金等を用いてきれいにすることによって得られる。なお、この場合、当該ベース体２内に綿等の詰め材を詰めてもよく、このような処理をすることによって、補強を図ることができる。また、表面に透明樹脂剤等のコーティング処理を施すことで補強してもよい。なお、玉虫は、その輝きが数百年も持続するため、貴金属と違い長期に渡って光沢感が保たれる。
【００１１】
前記フレーム３は、図８に示すように、金、銀等の貴金属を用いた、前記ベース体２の下部および外側部を覆う窪んだ器状の下部支持体４と、この下部支持体４の開口部にカシメ固定される、前記ベース体２の略上面が見えるように孔５、５が形成された上部支持体６とで構成されている。なお、この上部支持体６と前記下部支持体４とのカシメ固定は、前記下部支持体４の縁部に形成された複数のカシメ穴５と、前記上部支持体６の前記複数のカシメ穴７と対応する部位に一体形成された複数のカシメ片８とによってなされる。
【００１２】
また、前記フレーム３は、前記下部支持体４の前部に、前記ベース体２の玉虫の頭部の形状がデザインされており、フレーム３全体としてデフォルメされた玉虫形状となるように装飾が施されている。なお、本実施の形態では、ペンダントトップ等として用いることができるように、当該フレーム３の下部支持体４の前端部には、チェーン等を通すバチカン９が一体形成されている。
【００１３】
上記構成の装飾体１は、ベース体２をフレーム３の下部支持体４内に設置した状態で、上部支持体６を被せてカシメ固定することによって得られる。このように製造された本発明の装飾体１は、図９に示すように、バチカン８に例えばチェーン１０を通すことにより、ペンダント等として用いることできる。
【００１４】
【発明の異なる実施の形態】
次に、図１０ないし図３６に示す本発明の異なる実施の形態につき説明する。なお、本発明の異なる実施の形態の説明をするにあたって、前記本発明の第１の実施の形態と同一の構成部分には同一の符号を付し、重複する説明を省略する。
【００１５】
図１０ないし図１４に示す本発明の第２の実施の形態において、前記本発明の第１の実施の形態と主に異なる点は、かなぶんの頭部と足を除いた部分で構成されたベース体２Ａと、このベース体２Ａのかなぶんの頭部の形状を含むようにデザインされた下部支持体４Ａおよび上部支持体６Ａからなるフレーム３Ａとを用いた点で、このようなベース体２Ａおよびフレーム３Ａからなる装飾体１Ａにしても前記本発明の第１の実施の形態と同様の作用効果が得られる。
【００１６】
図１５ないし図１９に示す本発明の第３の実施の形態において、前記本発明の第１の実施の形態と主に異なる点は、はんみょうの頭部と足を除いた部分で構成されたベース体２Ｂと、このベース体２Ｂのはんみょうの頭部の形状を含むようにデザインされた下部支持体４Ｂおよび上部支持体６Ｂからなるフレーム３Ｂとを用いた点で、このようなベース体２Ｂおよびフレーム３Ｂからなる装飾体１Ｂにしても前記本発明の第１の実施の形態と同様の作用効果が得られる。
【００１７】
図２０ないし図２２に示す本発明の第４の実施の形態において、前記本発明の第１の実施の形態と主に異なる点は、ブローチとして用いることができるように、取り付けピン１１を下部支持体４に取り付けた点で、このように構成された装飾体１Ｃにしても、前記本発明の第１の実施の形態と同様の作用効果が得られる。
【００１８】
図２３ないし図２５に示す本発明の第５の実施の形態において、前記本発明の第２の実施の形態と主に異なる点は、指輪として用いることができるように、リング体１２を下部支持体４Ａに取り付けた点で、このように構成された装飾体１Ｄにしても、前記本発明の第１の実施の形態と同様の作用効果が得られる。
【００１９】
図２６および図２７に示す本発明の第６の実施の形態において、前記本発明の第３の実施の形態と主に異なる点は、植物の葉などの形状も併せてデザインされた下部支持体４Ｃを用いるとともに、イヤリングとして用いることができるように、取り付け金具１３が前記下部支持体４Ｃに取り付けられたフレーム３Ｃを用いた点で、このようなフレーム３Ｃを用いた装飾体１Ｅにしても、前記本発明の第１の実施の形態と同様の作用効果が得られる。
【００２０】
図２８および図２９に示す本発明の第７の実施の形態において、前記本発明の第１の実施の形態と主に異なる点は、ベース体２内に香料を染み込ませた詰め材１４を詰めた状態でフレーム３に取り付けた点で、このように構成された装飾体１Ｆにしても前記本発明の第１の実施の形態と同様の作用効果が得られるとともに、香りも楽しむことができる。
【００２１】
図３０および図３１に示す本発明の第８の実施の形態において、前記本発明の第１の実施の形態と主に異なる点は、玉虫をそのまま用いたベース体２Ｃと、このベース体２Ｃを収納することができる下部支持体４Ｄ、この下部支持体４Ｄに取り付けられた、前記ベース体２Ｃの玉虫の頭部が隠れるように形成された上部支持体６Ｃとからなるフレーム３Ｄを用いた点で、このようなベース体２Ｃおよびフレーム３Ｄで構成された装飾体１Ｇにしてもよい。なお、本実施の形態では、玉虫に限らず、かなぶん、はんみょう等の昆虫をそのまま用いるように構成してもよい。
【００２２】
図３２および図３３に示す本発明の第９の実施の形態において、前記本発明の第１の実施の形態と主に異なる点は、チェーン１０を通すことができる取り付け孔１５が形成された下部支持体４Ｅを用いてフレーム３Ｅを構成した点で、このようなフレーム３Ｅを用いた装飾体１Ｈにしても前記本発明の第１の実施の形態と同様の作用効果が得られる。
【００２３】
図３４ないし図３６に示す本発明の第１０の実施の形態において、前記本発明の第２の実施の形態と主に異なる点は、下部支持体４Ａの両側部寄りの部位にチェーン１０Ａの両端部が取り付けられる取り付け金具１６、１６が一体形成された点で、このように構成された装飾体１Ｉにしても、前記本発明の第２の実施の形態と同様の作用効果が得られる。
【００２４】
なお、前記本発明の各実施の形態において、ベース体２（２Ａ、２Ｂ、２Ｃ）は、玉虫、かなぶん、はんみょうを用いたものについて説明したが、本発明はこれに限らず、てんとう虫等を用いてもよい。また、本発明の各実施の形態では、玉虫、かなぶん、はんみょう等の頭部や足を除いた部分や、当該昆虫をそのまま用いたものについて説明したが、本発明はこれに限らず、玉虫の羽の部分となる甲の部分や、その他の甲の部分等を用いて構成してもよい。
【００２５】
また、前記フレーム３の上部支持体４と下部支持体６との固定は、下部支持体６に形成されたカシメ穴７と上部支持体４のカシメ片８とのカシメ固定によるものについて説明したが、本発明はこれに限らず、例えば接着剤を用いた固定や、ヒンジ部材を介して下部支持体６と上部支持体４とを開閉可能に構成する等、ベース体２を収納することができる態様であれば、どのように構成してもよい。
【００２６】
さらに、前記フレーム３の下部支持体６は、ベース体２の下面を全部覆うように形成されたものについて説明したが、本発明はこれに限らず、一部に透しが入るように形成してもよい。
【００２７】
【発明の効果】
以上の説明から明らかなように本発明にあっては次に列挙する効果が得られる。
【００２８】
（１）玉虫、かなぶん、はんみょう等の光沢のある昆虫、あるいは当該昆虫の部分からなるベース体と、このベース体を取り付けた、当該ベース体を装飾するフレームとで構成されているので、昆虫のもつ固有の輝きによって、従来の貴金属とは違った印象を与えることができるとともに、フレームが前記ベース体を装飾するように形成されているため、全体として渾然一体の美観を印象づけることができる。したがって、従来のジュエリーとの差別化を図ることができるとともに、安っぽさを感じさせないジュエリーにすることができる。
【００２９】
（２）前記（１）によって、ベース体に昆虫を用いているため、従来の貴金属等よりも比重が軽く、違和感のない着け心地感を得ることができる。
【００３０】
（３）前記（１）によって、ベース体に用いる玉虫、かなぶん、はんみょう等の光沢のある昆虫は、貴金属等よりも長期に渡って光沢感が保たれる。
したがって、昆虫固有の輝きを長期に渡って楽しむことができる。
【００３１】
（４）前記（１）によって、ベース体に用いる昆虫は自然増殖可能であるため、金、銀等の有限資源の使用に配慮することができる。
【００３２】
（５）前記（１）によって、構成が簡単であるので、容易に実施することができる。
【００３３】
（６）請求項２、３も前記（１）〜（５）と同様の作用効果が得られる。
【図面の簡単な説明】
【図１】本発明の第１の実施の形態の正面図。
【図２】本発明の第１の実施の形態の背面図。
【図３】本発明の第１の実施の形態の平面図。
【図４】本発明の第１の実施の形態の底面図。
【図５】本発明の第１の実施の形態の側面図。
【図６】図１の６−６線に沿う断面図。
【図７】本発明の第１の実施のベース体の説明図。
【図８】本発明の第１の実施の分解説明図。
【図９】本発明の第１の実施の使用状態の説明図。
【図１０】本発明の第２の実施の形態の正面図。
【図１１】本発明の第２の実施の形態の背面図。
【図１２】本発明の第２の実施の形態の側面図。
【図１３】本発明の第２の実施の形態の平面図。
【図１４】本発明の第２の実施の形態の底面図。
【図１５】本発明の第３の実施の形態の正面図。
【図１６】本発明の第３の実施の形態の背面図。
【図１７】本発明の第３の実施の形態の側面図。
【図１８】本発明の第３の実施の形態の平面図。
【図１９】本発明の第３の実施の形態の底面図。
【図２０】本発明の第４の実施の形態の正面図。
【図２１】本発明の第４の実施の形態の背面図。
【図２２】本発明の第４の実施の形態の側面図。
【図２３】本発明の第５の実施の形態の正面図。
【図２４】本発明の第５の実施の形態の背面図。
【図２５】本発明の第５の実施の形態の平面図。
【図２６】本発明の第６の実施の形態の正面図。
【図２７】本発明の第６の実施の形態の背面図。
【図２８】本発明の第７の実施の形態の正面図。
【図２９】本発明の第７の実施の分解説明図。
【図３０】本発明の第８の実施の形態の正面図。
【図３１】本発明の第８の実施の形態の背面図。
【図３２】本発明の第９の実施の形態の正面図。
【図３３】図３２の３３−３３線に沿う断面図。
【図３４】本発明の第１０の実施の形態の正面図。
【図３５】本発明の第１０の実施の形態の背面図。
【図３６】本発明の第１０の実施の形態の側面図。
【符号の説明】
１、１Ａ〜１Ｉ：装飾体、    ２、２Ａ〜２Ｃ：装飾体本体、
３、３Ａ〜３Ｅ：フレーム、  ４、４Ａ〜４Ｅ：下部支持体、
５：開口部、                ６、６Ａ〜６Ｃ：上部支持体、
７：カシメ穴、              ８：カシメ片、
９：バチカン、              １０、１０Ａ：チェーン、
１１：取り付けピン、        １２：リング体、
１３：取り付け金具、        １４：詰め材、
１５：取り付け孔、          １６：取り付け金具。
【図１】
2004313702.tif 000003
【図２】
2004313702.tif 000004
【図３】
2004313702.tif 000005
【図４】
2004313702.tif 000006
【図５】
2004313702.tif 000007
【図６】
2004313702.tif 000008
【図７】
2004313702.tif 000009
【図８】
2004313702.tif 000010
【図９】
2004313702.tif 000011
【図１０】
2004313702.tif 000012
【図１１】
2004313702.tif 000013
【図１２】
2004313702.tif 000014
【図１３】
2004313702.tif 000015
【図１４】
2004313702.tif 000016
【図１５】
2004313702.tif 000017
【図１６】
2004313702.tif 000018
【図１７】
2004313702.tif 000019
【図１８】
2004313702.tif 000020
【図１９】
2004313702.tif 000021
【図２０】
2004313702.tif 000022
【図２１】
2004313702.tif 000023
【図２２】
2004313702.tif 000024
【図２３】
2004313702.tif 000025
【図２４】
2004313702.tif 000026
【図２５】
2004313702.tif 000027
【図２６】
2004313702.tif 000028
【図２７】
2004313702.tif 000029
【図２８】
2004313702.tif 000030
【図２９】
2004313702.tif 000031
【図３０】
2004313702.tif 000032
【図３１】
2004313702.tif 000033
【図３２】
2004313702.tif 000034
【図３３】
2004313702.tif 000035
【図３４】
2004313702.tif 000036
【図３５】
2004313702.tif 000037
【図３６】
2004313702.tif 000038